(57)【要約】【課題】試料上の測定領域内の多数の測定点に対する質量分析を順次実行する際に、ＰＣによる装置状態の監視を伴う制御を不要にする。【解決手段】ユーザが試料の光学顕微画像上で測定領域を指定すると、制御対象領域決定部２１は測定領域を囲む長方形状の制御対象領域を定める。有効／無効判定部２２及び二値化処理部２３は、制御対象領域に含まれる全ての小領域について、測定領域に重なる第１群とそれ以外の第２群とに分け、第１群には有効フラグ「１」を、第２群には無効フラグ「０」を割り当てる。圧縮処理部２３は制御対象領域に含まれる全ての小領域について決められた順序で一つずつフラグデータを取得して二値データ列を形成し、該二値データ列を連長圧縮する。制御・処理部２はこの圧縮データを制御対象領域内の最初の小領域の位置を示す初期位置情報等と共に装置本体部１へ送り、装置本体部１はそれを解読しながら分析を実行する。【選択図】図１
2020094854.tif 000002
【特許請求の範囲】
【請求項１】
試料に対し設定された測定領域内の複数の微小領域においてそれぞれ所定の分析を実行するイメージング分析装置であって、
試料に対し所定の分析を実行する装置本体と、該装置本体での分析に必要な制御データを生成して前記装置本体に送る制御部と、を含み、前記制御部は、
任意の形状の測定領域を設定する測定領域設定部と、
前記領域設定部により設定された測定領域に対し、該測定領域を囲む所定形状でサイズが可変である制御対象領域を定める制御対象領域決定部と、
前記制御対象領域に含まれる全ての微小領域について、前記測定領域に含まれる又は該測定領域に少なくとも一部が重なる第１群とそれ以外の第２群とに分け、該第１群に属する微小領域に二値データの一方を、該第２群に属する微小領域に二値データの他方を割り当てる二値化処理部と、
前記制御対象領域に含まれる全ての微小領域について決められた順序で一つずつ、割り当てられている二値データを取得して二値データ列を形成し、該二値データ列を連長圧縮する圧縮処理部と、
前記圧縮処理部による二値データ列の形成時の最初の微小領域の位置を示す初期位置情報と、前記圧縮処理部による圧縮データと、を含む制御データを生成して前記装置本体に送るデータ送出部と、
を含み、前記装置本体は、
前記制御部から送られてきた制御データ中の圧縮データを伸張して復元した二値データ列と、前記初期位置情報と、を含む制御情報に基づいて、試料において前記測定領域に対応する微小領域を特定して順次分析を実行させる分析実行制御部、
を含む、イメージング分析装置。
【請求項２】
前記制御対象領域の形状は矩形状である、請求項１に記載のイメージング分析装置。
【請求項３】
前記決められた順序は、矩形状である前記制御対象領域の長軸方向に微小領域を順番に選択するものである、請求項２に記載のイメージング分析装置。
【請求項４】
前記所定の分析は質量分析である、請求項１〜３のいずれか１項に記載のイメージング分析装置。
【発明の詳細な説明】
【技術分野】
【０００１】
本発明は、試料上の測定領域内の多数の微小領域それぞれに対し所定の分析を実施することが可能であるイメージング分析装置に関する。本発明は特に、イメージング質量分析装置に好適である。
【背景技術】
【０００２】
質量分析イメージング法は、生体組織切片などの試料上の２次元的な測定領域内の複数の微小領域（測定点）に対しそれぞれ質量分析を行うことにより、特定の質量を有する物質の空間分布を調べる手法であり、創薬やバイオマーカ探索、各種疾病・疾患の原因究明などへの応用が鋭意進められている。質量分析イメージングを実施するための質量分析装置は一般にイメージング質量分析装置と呼ばれている（特許文献１等参照）。
【０００３】
通常、イメージング質量分析装置には試料上の顕微光学画像を撮影することが可能な光学顕微装置が併設されている。そして、観察者はまず光学顕微装置で得られた試料上の光学画像を確認して質量分析の対象である測定領域を定め、該測定領域を指定して測定実行を指示する。すると、この指示に応じてイメージング質量分析装置では、指定された測定領域に含まれる多数の微小領域に対する質量分析が順次実行されるようになっている。
【０００４】
例えば非特許文献１に記載のイメージング質量分析装置は、測定を実行する装置本体と、該装置本体における動作の制御や該装置本体で得られたデータの処理を担う、専用のソフトウェアが搭載されたパーソナルコンピュータ（以下「ＰＣ」と略す）と、を含む。
【０００５】
試料上で測定対象として任意の形状の領域を指定する場合、従来のイメージング質量分析装置では次のような手順で分析が実行される。
【０００６】
いま、図７（Ａ）に示すように、試料の光学顕微画像１００上で観察者が任意形状の測定領域１０２を指定したものとする。測定領域１０２が指定されると、ＰＣでは、該測定領域１０２を、Ｘ軸方向に沿って延伸しＹ軸方向には１個の微小領域のサイズに相当する幅である複数の帯状領域１０４に区分する（図７（Ｂ）参照）。そして、帯状領域１０４毎に、始点の位置情報（Ｘ軸方向及びＹ軸方向のアドレス情報）、Ｘ軸方向の測定点間隔（Ｘ軸方向の１個の微小領域のサイズ）、及び、その帯状領域１０４における測定点数（微小領域の数）を求め、これら情報を含む制御データを装置本体へ送出する。一つの帯状領域１０４に対応する制御データを受け取った装置本体は、その制御データに含まれる情報に従って分析対象である微小領域の位置を特定しながら、一つの帯状領域１０４内の複数（一つである場合もある）の微小領域に対する質量分析を順番に実施する。
【０００７】
ＰＣは、装置本体における上述したような分析の実行状態を監視しつつ、一つの帯状領域１０４に含まれる複数の微小領域に対する分析が終了する毎に、次の帯状領域１０４に対応する制御データを装置本体に送出する、という制御動作を繰り返す。これにより、装置本体では最終的に、指定された測定領域に含まれる全ての微小領域に対する質量分析を実施し（図７（Ｃ）参照）、それにより得られた質量分析データをＰＣに転送することができる。
【先行技術文献】
【特許文献】
【０００８】
【特許文献１】国際公開第２０１８／０３７４９１号パンフレット
【非特許文献】
【０００９】
【非特許文献１】「iMScope TRIO  イメージング質量顕微鏡」、［online］、株式会社島津製作所、［2018年11月20日検索］、インターネット＜URL: https://www.an.shimadzu.co.jp/bio/imscope/＞
【発明の概要】
【発明が解決しようとする課題】
【００１０】
質量分析イメージング画像の解像度を高くした場合、測定領域１０２に含まれる帯状領域１０４の数は非常に多くなる可能性がある。そのため、測定領域１０２全体に対応する制御データの量はかなり膨大になる場合があり、これら制御データを全て記憶できるような記憶容量の大きなメモリを装置本体に装備することは難しい。そのため、装置本体に装備するメモリの記憶容量を抑えるために、上述したようにＰＣから装置本体に対して、帯状領域毎に一つの帯状領域に対応する制御データを送出し、装置本体では一つの帯状領域に対応する制御データのみをメモリに格納して該制御データから分析対象の微小領域の位置を特定するようにしている。
【００１１】
しかしながら、こうした制御方法では、一つの測定領域１０２に含まれる膨大な数の微小領域に対する分析をそれぞれ実行する間に、ＰＣが高い頻度で装置本体の動作状態を確認し、一つの帯状領域に対する複数の分析が実行される毎に制御データを装置本体に送出する必要があり、ＰＣでの処理が煩雑になる。また、ＰＣと装置本体との間での制御データの送受信の頻度が高いために、装置本体で得られた質量分析データをＰＣに転送する速度が低下してしまい、その影響により測定領域全体についての分析時間自体が長くなるおそれがある。
【００１２】
なお、イメージング質量分析装置だけでなく、赤外分光イメージング装置やラマン分光イメージング装置などの、質量分析とは異なる分析手法を用いたイメージング装置でも、特に分析の空間分解能を高めようとする場合には上記と同様の問題が生じる。
【００１３】
本発明はこうした課題を解決するために成されたものであり、その目的とするところは、装置本体を制御するＰＣ等の制御部における定期的な又は高い頻度での装置状態の監視や制御データの送受を不要とするとともに、装置本体において制御データを記憶するメモリの記憶容量の増大も回避することができるイメージング分析装置を提供することにある。
【課題を解決するための手段】
【００１４】
上記課題を解決するために成された本発明に係るイメージング分析装置は、試料に対し設定された測定領域内の複数の微小領域においてそれぞれ所定の分析を実行するイメージング分析装置であって、
試料に対し所定の分析を実行する装置本体と、該装置本体での分析に必要な制御データを生成して前記装置本体に送る制御部と、を含み、
前記制御部は、
任意の形状の測定領域を設定する測定領域設定部と、
前記領域設定部により設定された測定領域に対し、該測定領域を囲む所定形状でサイズが可変である制御対象領域を定める制御対象領域決定部と、
前記制御対象領域に含まれる全ての微小領域について、前記測定領域に含まれる又は該測定領域に少なくとも一部が重なる第１群とそれ以外の第２群とに分け、該第１群に属する微小領域に二値データの一方を、該第２群に属する微小領域に二値データの他方を割り当てる二値化処理部と、
前記制御対象領域に含まれる全ての微小領域について決められた順序で一つずつ、割り当てられている二値データを取得して二値データ列を形成し、該二値データ列を連長圧縮する圧縮処理部と、
前記圧縮処理部による二値データ列の形成時の最初の微小領域の位置を示す初期位置情報と、前記圧縮処理部による圧縮データと、を含む制御データを生成して前記装置本体に送るデータ送出部と、
を含み、前記装置本体は、
前記制御部から送られてきた制御データ中の圧縮データを伸張して復元した二値データ列と、前記初期位置情報と、を含む制御情報に基づいて、試料において前記測定領域に対応する微小領域を特定して順次分析を実行させる分析実行制御部、
を含む、ものである。
【発明の効果】
【００１５】
本発明に係るイメージング分析装置では、測定領域に含まれる微小領域の位置を特定可能な情報を、少ない情報量で以て制御部から装置本体へと送ることができる。そのため、本発明に係るイメージング分析装置によれば、ＰＣ等の制御部における定期的な又は高い頻度での装置状態の監視や制御データの送受を不要とすることができる。また、装置本体において制御データを記憶するメモリの記憶容量の増大も回避することができる。
【図面の簡単な説明】
【００１６】
【図１】本発明の一実施形態であるイメージング質量分析装置の要部の構成図。
【図２】本実施形態のイメージング質量分析装置における制御用ＰＣの処理フローチャート。
【図３】制御用ＰＣで実施される分析制御のための処理の説明図。
【図４】制御用ＰＣで実施される分析制御のための処理の説明図。
【図５】制御用ＰＣで実施される分析制御のための処理の説明図。
【図６】制御用ＰＣで実施される分析制御のための処理の説明図。
【図７】従来のイメージング質量分析装置における制御用ＰＣで実施される分析制御のための処理の説明図。
【発明を実施するための形態】
【００１７】
以下、本発明の一実施形態であるイメージング質量分析装置について、添付図面を参照して説明する。
【００１８】
図１は、本実施形態のイメージング質量分析装置の要部の構成図である。本装置は、測定を実行する装置本体部１と、装置本体部１の動作を制御するとともに装置本体部１で得られたデータを処理する制御・処理部２と、入力部３と、表示部４と、を含む。装置本体部１と制御・処理部２とは相互にデータを送受可能な信号線で接続され、入力部３及び表示部４は制御・処理部２に付設されている。制御・処理部２は典型的にはＰＣであり、該ＰＣにインストールされた専用のソフトウェアを該ＰＣで実行することで後述する各種の機能が実現されるものとすることができる。
【００１９】
装置本体部１は、データ送受信部１０、測定制御データ一時記憶部１１、測定制御データ解読部１２、動作制御部１４、測定実行部１５、及び、光学顕微観察部１６、を含む。測定制御データ解読部１２は伸張処理部１３を含む。一方、制御・処理部２は、測定領域指示受付部２０、制御対象領域決定部２１、有効／無効判定部２２、二値化処理部２３、圧縮処理部２４、測定制御データ生成部２５、及び、データ送受信部２６、を含む。
【００２０】
装置本体部１における測定実行部１５は例えば、マトリクス支援レーザ脱離イオン化イオントラップ飛行時間型質量分析装置（ＭＡＬＤＩ−ＩＴ−ＴＯＦＭＳ）を含み、生体組織切片などの試料上の２次元的な測定領域内の多数の測定点（微小領域）それぞれについてのマススペクトルデータ（又はｎが２以上のＭＳnスペクトルデータ）を取得することが可能なものである。また、光学顕微観察部１６は同じ試料上の所定範囲の光学顕微画像を取得するためのものである。
【００２１】
次に、本実施形態のイメージング質量分析装置における特徴的な動作について、図２〜図６を参照して説明する。図２は、制御・処理部２で実行される処理のフローチャートである。図３〜図６は、制御・処理部２で実施される分析制御のための処理の説明図である。
【００２２】
ユーザ（観察者）が試料を装置本体部１の所定位置にセットすると、光学顕微観察部１６はその試料上の所定範囲の光学顕微画像を撮影する。得られた画像データは制御・処理部２へ送られ、制御・処理部２はその画像を表示部４に表示する。ユーザは表示された光学顕微画像を確認し、試料上でイオン強度分布つまりは特定の成分の分布、を確認したい測定領域を決定する。そして、ユーザは入力部３を操作することにより、例えば図３（Ａ）に示すように、光学顕微画像１００上で任意の形状の枠１１１を描画して、該枠１１１で込まれる部分を測定領域１１０として指定する（ステップ５０）。測定領域指示受付部２０はこのようにして指定された領域を測定領域として設定する。なお、いま図３（Ａ）に示してあるように、便宜的に、光学顕微画像１００の横軸をＸ軸、縦軸をＹ軸と定める。
【００２３】
制御対象領域決定部２１は、光学顕微画像１００上の測定領域１１０を囲む長方形状の制御対象領域１１２を決定する（ステップ５１）。測定領域１１０を囲む長方形状の制御対象領域はほぼ無数に存在するが、測定領域１１０を囲む長方形の中で該測定領域１１０の占める面積の割合ができるだけ大きくなるようなサイズである長方形を制御対象領域１１２として定めるとよい。このとき、その長方形の長辺及び短辺はＸ軸、Ｙ軸と平行である必要はない。こうした条件の下で制御対象領域１１２を定めると、多くの場合、制御対象領域１１２の枠と測定領域１１０の枠１１１とが接触する距離が長くなる、又は接触する点が多くなる。もちろん、制御対象領域１１２は、必ずしも、測定領域１１０を囲む長方形の中で測定領域１１０の占める面積の割合が最大であるものでなくてもよい。
【００２４】
図３（Ａ）に示した測定領域１１０に対しては、例えば図３（Ｂ）に示すような制御対象領域１１２が決定される。この長方形状である制御対象領域１１２の枠の長辺に平行な軸をＸ’軸、短辺に平行な軸をＹ’軸とする。このとき、Ｘ’軸とＸ軸とは平行でないから、制御対象領域決定部２１は、Ｘ’軸とＸ軸とが成す角度θを制御対象領域１１２の回転角情報として取得する（ステップ５２）。
【００２５】
有効／無効判定部２２は、図４に示すように、長方形状の制御対象領域１１２の全体を所定の間隔の格子状に区切る（ステップ５３）。このときのＸ’軸方向及びＹ’軸方向の格子の間隔は、質量分析の測定点の間隔、つまりは事前に指定された空間分解能に応じて決められる。したがって、格子状に区切られた一つの矩形状の小領域１１６は質量分析が実行される一つの微小領域に対応する。そして、制御対象領域１１２内の各小領域１１６が測定領域１１０に重なるか否かを判定し、一部でも重なるものを第１群、全く重ならないものを第２群に振り分ける。二値化処理部２３は、第１群に有効な小領域であることを示す「１」、第２群には無効な小領域であることを示す「０」のフラグを割り当てる（ステップ５４）。図４に示した各小領域１１６に対し、有効／無効を示すフラグを割り当てると図５に示すようになる。
【００２６】
圧縮処理部２４は、制御対象領域１１２の長軸（図５の例ではＸ’軸）に沿って進み、末端に達すると次の行又は列に移行して長軸に沿って逆向きに進むという順序で以て、各小領域に割り当てられたフラグの値を並べたデータ配列を形成する。そして、このデータ配列を連長圧縮し、圧縮後のデータを得る（ステップ５５、５６）。図５の例では、左上端に位置する小領域を始点とすると、フラグのデータ配列は０１１００１１１１１１１１１００１…となる。これを連長圧縮すると、図６に示すような圧縮データが得られる。図６では、２桁のＨＥＸコード（バイナリコードで８ビット）の最上位ビットをフラグの値とし、それ以外のビットで「０」又は「１」の連続数を示している。なお、空間分解能に依るが、通常、同一値のフラグの連続数はもっと大きな数になることが見込まれるため、実際には、連長圧縮後の一つのデータのビット数は多く設定される。
【００２７】
圧縮処理が終了すると測定制御データ生成部２５は、試料上での制御対象領域１１２内の初期位置の情報（Ｘ軸及びＹ軸上のアドレス）、制御対象領域１１２のサイズ（Ｘ’軸及びＹ’軸方向の小領域の数）、測定点のピッチ（小領域のサイズ）、制御対象領域１１２の角度θ、及び上記圧縮データを含む所定形式の制御データを生成し、データ送受信部２６を通して装置本体部１へ送出する（ステップ５７）。上記初期位置の情報とは、制御対象領域１１２内での圧縮処理の始点に対応する小領域の位置を示す情報である。
【００２８】
なお、空間分解能つまりは測定点ピットが予め一つに決まっている場合には、測定点ピッチの情報を制御データに含める必要はない。また、測定領域１１０に対して制御対象領域１１２を決める際に、Ｘ’軸及びＹ’軸をＸ軸及びＹ軸に一致させる、つまりは角度θを常に０とする場合には角度θの情報を制御データに含める必要はない。
【００２９】
装置本体部１においてデータ送受信部１０は制御・処理部２から送られて来た制御データを受領し、測定制御データ一時記憶部１１に格納する。測定制御データ解読部１２は、測定制御データ一時記憶部１１に格納されている制御データのうちの圧縮データを先頭から順番に読み出し、伸張処理部１３は伸張処理を実施する。伸張処理の結果から、無効フラグが付されている小領域の連続数と有効フラグが付されている小領域の連続数が判明する。無効フラグが付されている小領域については質量分析を実行する必要がなく、有効フラグが付されている小領域のみの質量分析を実行すればよい。そこで、測定制御データ解読部１２は、伸張処理して得られるデータと、制御データに含まれるそれ以外の情報とから、質量分析の対象とすべき小領域の位置情報（Ｘ軸上及びＹ軸上のアドレス）を算出し、動作制御部１４に入力する。
【００３０】
なお、測定制御データ解読部１２は、制御対象領域１１２内で質量分析の対象とすべき全ての小領域の位置情報を一度に求めることも可能であるものの、そうすると、求めた位置情報を記憶しておくために大きな記憶容量のメモリが必要になる。これを回避するために、測定制御データ解読部１２は実際の分析の進行度合いに合わせて少しずつ、質量分析の対象とすべき小領域の位置情報を算出する。動作制御部１４は上述したように測定制御データ解読部１２から与えられる情報に基づいて、試料上で次に分析すべき位置を決め、その位置に対する質量分析が実行されるように測定実行部１５を制御する。
【００３１】
具体的には、試料上で次に分析すべき部位がＭＡＬＤＩイオン源によるレーザ光の照射位置に来るように試料を移動させ、移動が完了するとレーザ光をパルス的に照射し、試料由来のイオンを発生させる。そして、発生したイオンについての質量分析を実行する。そして、分析が終了したならば、試料上で次に分析すべき部位がレーザ光の照射位置に来るように試料を移動させる、という動作を繰り返す。これにより、試料上で、図５に示した有効フラグが付された小領域に対応する位置、つまりは測定領域１１０を網羅する測定点における質量分析が順番に実行される。
【００３２】
説明を簡単にするため、上記説明では測定領域１１０に含まれる測定点の数はそれほど多くないが、実際には一般に、測定領域１１０に含まれる測定点の数は膨大である。そのため、上述した従来の方法では、測定領域１１０全体を質量分析するために制御・処理部から装置本体部に送出すべき制御データの量は膨大になる。これに対し、上記実施形態のイメージング質量分析装置では、測定領域１１０全体を質量分析するために制御・処理部から装置本体部に送出すべき制御データの量を少なくすることができ、それ故に、測定領域１１０全体の分析前に制御・処理部２から装置本体部１に全ての制御データを送出し、装置本体部１においてその制御データを解読しながら分析を実行することができる。
【００３３】
上記実施形態のイメージング質量分析装置では、ユーザが光学顕微画像を観察しながらマニュアル操作で測定領域を指定していたが、測定領域の指定を自動化することもできる。例えば、測定領域の抽出条件をユーザが予め設定しておき、画像認識部が光学顕微画像上で抽出条件に適合する範囲を画像認識により抽出し、その範囲を測定領域として決めるようにすることができる。即ち、測定領域はマニュアル操作で指定されるものでも、自動的に指定されるものでもよい。
【００３４】
また上記実施形態のイメージング質量分析装置では、制御対象領域を長方形状にしていたが、制御対象領域は長方形状に限らず、長方形以外の四角形状、三角形状、多角形状などでもよい。もちろん、その形状において、初期位置の決め方とデータ配列を形成する際の順序とを定義しておく必要がある。
【００３５】
また、上記実施形態は本発明をイメージング質量分析装置に適用した例であるが、分析手法は質量分析に限らず、フーリエ変換赤外分光分析やラマン分光分析などの他の分析でもよい。即ち、ユーザにより指定された又は自動的に設定された様々な形状の測定領域内の多数の測定点についてそれぞれ分析を行うようなイメージング分析装置全般に、本発明を適用することができる。
【００３６】
また、上記実施形態や変形例は本発明の一例であり、本発明の趣旨の範囲で適宜に変更、修正、追加を行っても本願特許請求の範囲に包含されることは当然である。
【００３７】
以上、図面を参照して本発明の実施形態を説明したが、最後に、本発明の種々の態様について説明する。
【００３８】
本発明の第１の態様のイメージング分析装置は、試料に対し設定された測定領域内の複数の微小領域においてそれぞれ所定の分析を実行するイメージング分析装置であって、
試料に対し所定の分析を実行する装置本体（１）と、該装置本体（１）での分析に必要な制御データを生成して前記装置本体（１）に送る制御部（２）と、を含み、前記制御部（２）は、
任意の形状の測定領域を設定する測定領域設定部（２０）と、
前記領域設定部（２０）により設定された測定領域に対し、該測定領域を囲む所定形状でサイズが可変である制御対象領域を定める制御対象領域決定部（２１）と、
前記制御対象領域に含まれる全ての微小領域について、前記測定領域に含まれる又は該測定領域に少なくとも一部が重なる第１群とそれ以外の第２群とに分け、該第１群に属する微小領域に二値データの一方を、該第２群に属する微小領域に二値データの他方を割り当てる二値化処理部（２２）と、
前記制御対象領域に含まれる全ての微小領域について決められた順序で一つずつ、割り当てられている二値データを取得して二値データ列を形成し、該二値データ列を連長圧縮する圧縮処理部（２３）と、
前記圧縮処理部（２３）による二値データ列の形成時の最初の微小領域の位置を示す初期位置情報と、前記圧縮処理部（２３）による圧縮データと、を含む制御データを生成して前記装置本体（１）に送るデータ送出部（２４，２５）と、
を含み、前記装置本体（１）は、
前記制御部（２）から送られてきた制御データ中の圧縮データを伸張して復元した二値データ列と、前記初期位置情報と、を含む制御情報に基づいて、試料において前記測定領域に対応する微小領域を特定して順次分析を実行させる分析実行制御部（１２，１４）を含む、ものである。
【００３９】
第１の態様のイメージング分析装置によれば、装置本体において分析すべき測定領域に含まれる微小領域の位置を特定するためにＰＣ等の制御部から装置本体に送る制御データの量を、従来よりも少なくすることができる。測定領域に対応する制御データを分析に先立ってまとめて装置本体に送ることができ、分析実行中における制御部による定期的な又は高い頻度での装置状態の監視や制御データの送受が不要となる。その結果、制御が簡単になるとともに、装置本体と制御部との間のデータ転送の効率が向上し、分析時間の短縮化にも繋がる。また、装置本体において制御データを記憶するメモリの記憶容量を増やす必要もなく、装置本体のコスト増加を回避することができる。
【００４０】
第２の態様のイメージング分析装置は、第１の態様において、前記制御対象領域の形状を矩形状としたものである。
【００４１】
第２の態様のイメージング分析装置によれば、様々な形状の測定領域に対して制御対象領域を設定するのが容易である。
【００４２】
第３の態様のイメージング分析装置は、第３の態様において、前記決められた順序は、矩形状である前記制御対象領域の長軸方向に微小領域を順番に選択するものである。
【００４３】
第２の態様のイメージング分析装置によれば、矩形状である制御対象領域の短軸方向に微小領域を順番に選択する場合に比べて、二値データ列で同じ値が連続する可能性が高くなり圧縮効率が向上する。
【００４４】
第４の態様のイメージング分析装置は、第１乃至第３の態様のいずれか一つにおいて、前記所定の分析は質量分析である。
【００４５】
イメージング質量分析装置は一般に他のイメージング分析手法に比べて空間分解能が高いため、測定領域に含まれる測定点の数が多く、その分だけ制御データの量も多い。そのため、第４の態様のイメージング分析装置において本発明は特に有効である。
【符号の説明】
【００４６】
１…装置本体部
１０…データ送受信部
１１…測定制御データ一時記憶部
１２…測定制御データ解読部
１３…伸張処理部
１４…動作制御部
１５…測定実行部
１６…光学顕微観察部
２…制御・処理部
２０…測定領域指示受付部
２１…制御対象領域決定部
２２…有効／無効判定部
２３…二値化処理部
２４…圧縮処理部
２５…測定制御データ生成部
２６…データ送受信部
３…入力部
４…表示部
１００…光学顕微画像
１１０…測定領域
１１２…制御対象領域
１１６…小領域
【図１】
2020094854.tif 000003
【図２】
2020094854.tif 000004
【図３】
2020094854.tif 000005
【図４】
2020094854.tif 000006
【図５】
2020094854.tif 000007
【図６】
2020094854.tif 000008
【図７】
2020094854.tif 000009